(57)【要約】【課題】斜め投写の構成をとる場合の本体形状を、投写機能を低下させることなく、コンパクトにすることが可能な投写型表示装置を提供する。【解決手段】プロジェクタは、ランプユニット１４と、光変調ユニット１５と、投写光学ユニット１７と、制御回路ユニット２３と、本体キャビネット１とを備える。投写光学ユニット１７は、投写レンズユニット１０１と、投写レンズユニット１０１を透過した光を反射して被投写面へと向かわせる反射ミラー１０２とにより構成される。反射ミラー１０２は、投写レンズユニット１０１の光軸Ｌから本体キャビネット１の底面側にシフトするように配置される。投写レンズユニット１０１と反射ミラー１０２との位置のずれによって投写レンズユニット１０１と本体キャビネット１の底面との間に生じる空間Ｇに、制御回路ユニット２３が配置される。【選択図】図４
2011237723.tif 000002
【特許請求の範囲】
【請求項１】
投写型表示装置において、
光源と、
前記光源からの光を変調する光変調部と、
前記光変調部により変調された光を拡大投写する投写部と、
制御回路部と、
前記光源、前記光変調部、前記投写部および前記制御回路部が配置される本体キャビネットと、を備え、
前記投写部は、前記光変調部からの光が入射する投写レンズ部と、当該投写レンズ部を透過した光を反射して被投写面へと向かわせるミラー部とにより構成されるとともに、前記ミラー部は、前記投写レンズ部から入射する光を折り返す方向と逆方向に、前記投写レンズ部の光軸からシフトするように配置され、
前記投写レンズ部と前記ミラー部との位置のずれによって前記投写レンズ部と前記本体キャビネットとの間に生じる空間に、前記制御回路部が配置される、
ことを特徴とする投写型表示装置。
【請求項２】
請求項１に記載の投写型表示装置において、
前記制御回路部は複数の回路基板を含み、これら回路基板が前記空間において上下に並べられる、
ことを特徴とする投写型表示装置。
【請求項３】
請求項１または２に記載の投写型表示装置において、
前記制御回路部を保持する保持部材を備えた、
ことを特徴とする投写型表示装置。
【請求項４】
請求項３に記載の投写型表示装置において、
前記光変調部および前記投写部が前記保持部材に固定され、
前記保持部材、前記光変調部および前記投写部の三者が、一体化された状態で前記本体キャビネットに固定される、
ことを特徴とする投写型表示装置。
【請求項５】
請求項３または４に記載の投写型表示装置において、
前記保持部材は、金属材料で形成される、
ことを特徴する投写型表示装置。
【請求項６】
請求項１ないし５の何れか一項に記載の投写型表示装置において、
前記制御回路部は、複数の端子を含み、
前記本体キャビネットの一側面には、前記空間に対応する位置に、前記複数の端子が外部に露出する端子部が設けられ、
前記一側面における前記端子部の上方に、前記本体キャビネット内へ外気を取り込むための吸気口が設けられる、
ことを特徴とする投写型表示装置。
【発明の詳細な説明】
【技術分野】
【０００１】
本発明は、光源からの光を光変調素子によって変調し、被投写面に拡大投写する投写型表示装置に関し、特に、光変調素子上の画像を投写レンズ部とミラー部の間に中間像として結像させ、この中間像をミラー部によって拡大投写する投写型表示装置に関する。
【背景技術】
【０００２】
従来、液晶プロジェクタ等の投写型表示装置（以下、「プロジェクタ」という）において、スクリーンとプロジェクタの距離を短くするために、投写光学系の広角化が図られている。また、かかる広角化とともに、プロジェクタから出射される投写光を斜め方向からスクリーンに投写させる、斜め投写の構成をとるプロジェクタが提案されている。
【０００３】
かかる構成のプロジェクタでは、たとえば、投写光学系として投写レンズユニットと反射ミラーが用いられ得る。この構成では、光変調素子上の画像が投写レンズユニットと反射ミラーの間に中間像として結像され、この中間像が反射ミラーによって拡大投写される。これにより、投写距離の短縮が実現されている（特許文献１参照）。
【先行技術文献】
【特許文献】
【０００４】
【特許文献１】特開２００８−２５０２８３号公報
【発明の概要】
【発明が解決しようとする課題】
【０００５】
ところで、プロジェクタを駆動および制御するための制御回路基板は、比較的広い面積を有する。このため、制御回路基板の配置の仕方によっては、プロジェクタ本体が大型化する惧れがある。
【０００６】
通常、制御回路基板は、本体キャビネット内において、光変調素子等からなる光学エンジンの上方に配置される。しかしながら、上記斜め投写のプロジェクタでは、本体キャビネットの上面に、斜め上方を向くように投写口が形成され、反射ミラーによって折り返された光が、投写口を通ってスクリーンへと向かう。このとき、投写口の前方近くにおいて、本体キャビネットの上面が上方に張り出すと、投写光を遮ってしまう惧れがある。このため、制御回路基板は、あまり反射ミラー側に近づけて配置することができない。
【０００７】
また、制御回路基板が、投写方向において、反射ミラーから比較的離れて配置されると、投写方向における本体キャビネット（プロジェクタ本体）の寸法が大きくなりやすい。プロジェクタの投写方向の寸法が大きくなると、プロジェクタをスクリーンに最大限近づけたときに、投写距離（投写口からスクリーンまでの距離）が長くなる。よって、プロジェクタをスクリーンに対して接近および離間させて投写画面のサイズを調整する場合には、投写画面の最小サイズを小さくすることができず、投写画面のサイズの調整範囲が狭くなる。
【０００８】
以上のように、斜め投写の構成をとるプロジェクタは、プロジェクタ本体の形状および大きさにおいて種々の制約を受ける。よって、制御回路基板は、これらの制約を考慮しつつ、プロジェクタ本体の大型化を抑制し得る位置に配置される必要がある。
【０００９】
本発明は、このような課題に鑑みてなされたものであり、斜め投写の構成をとる場合の本体形状を、投写機能を低下させることなく、コンパクトにすることが可能な投写型表示
装置を提供することを目的とする。
【課題を解決するための手段】
【００１０】
本発明の投写型表示装置は、光源と、前記光源からの光を変調する光変調部と、前記光変調部により変調された光を拡大投写する投写部と、制御回路部と、前記光源、前記光変調部、前記投写部および前記制御回路部が配置される本体キャビネットとを備える。ここで、前記投写部は、前記光変調部からの光が入射する投写レンズ部と、当該投写レンズ部を透過した光を反射して被投写面へと向かわせるミラー部とにより構成される。前記ミラー部は、前記投写レンズ部から入射する光を折り返す方向と逆方向に、前記投写レンズ部の光軸からシフトするように配置される。さらに、前記投写レンズ部と前記ミラー部との位置のずれによって前記投写レンズ部と前記本体キャビネットとの間に生じる空間に、前記制御回路部が配置される。
【００１１】
本発明の投写型表示装置によれば、ミラー部が投写レンズ部の光軸からシフトして配置されることにより投写レンズ部と本体キャビネットとの間に生じる空間が、制御回路部の配置スペースに利用されるので、制御回路部の配置によって、本体キャビネットによって投写光が遮られたり、投写距離が長くなったりすることがない。よって、投写機能を低下させることなく、投写型表示装置をコンパクトな形状にすることができる。
【００１２】
本発明の投写型表示装置において、前記制御回路部は複数の回路基板を含み得る。この場合、これら回路基板が前記空間において上下に並べられ得る。
【００１３】
このような構成とすれば、投写レンズ部と本体キャビネットとの間に生じる空間を利用して、制御回路部を効率的に配置することができる。
【００１４】
本発明の投写型表示装置は、前記制御回路部を保持する保持部材を備えるよう構成され得る。
【００１５】
このような構成とした場合、前記光変調部および前記投写部が前記保持部材に固定され、さらに、前記保持部材、前記光変調部および前記投写部の三者が、一体化された状態で、前記本体キャビネットに固定されるような構成とされ得る。
【００１６】
このような構成とすれば、破損等により制御回路部を交換する際には、前記保持部材、前記光変調部および前記投写部の三者を、一度に本体キャビネットから取り外すことができる。即ち、光変調部や投写部を本体キャビネットから取り外した後に、保持部材を本体キャビネットから取り外すという、手間数の多い作業を行わなくても良いので、制御回路部の交換作業を容易に行うことが可能となる。
【００１７】
さらに、前記保持部材は、金属材料で形成され得る。このようにすれば、保持部材により、制御回路部から発生する電磁波の遮蔽を行うことが可能となる。
【００１８】
本発明の投写型表示装置において、前記制御回路部は、複数の端子を含み得る。この場合、前記本体キャビネットの一側面に、前記空間に対応する位置に、前記複数の端子が外部に露出する端子部が設けられ得る。さらに、前記一側面における前記端子部の上方に、前記本体キャビネット内へ外気を取り込むための吸気口が設けられ得る。
【００１９】
このような構成とすれば、本体キャビネットの一側面において、制御回路部が配置された空間に対応する位置に端子部が設けられるので、この端子部の上方、即ち、光変調部や投写レンズ部に対応する位置に、端子部に邪魔されることなく、吸気口を形成することができる。これにより、吸気口の面積を広くすることができるので、本体キャビネット内へ
の吸気量を多くすることができ、内部の発熱部位を良好に冷却することができる。
【発明の効果】
【００２０】
以上のとおり、本発明によれば、斜め投写の構成をとる場合の本体形状を、投写機能を低下させることなく、コンパクトにすることが可能な投写型表示装置を提供することができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２２】
【図１】実施の形態に係るプロジェクタの外観構成を示す図（斜視図）である。
【図２】実施の形態に係るプロジェクタの外観構成を示す図（底面図）である。
【図３】実施の形態に係るプロジェクタの内部構造を示す図である。
【図４】実施の形態に係る投写光学ユニットの構成を模式的に示す図である。
【図５】実施の形態に係る制御回路ユニットの構成を示す図である。
【図６】実施の形態に係る制御回路ユニットの構成を示す図である。
【図７】実施の形態に係る光学ユニットの構成を示す図である。
【図８】実施の形態に係る光学ユニットが取り付けられる前の本体キャビネットの状態を示す図である。
【図９】実施の形態に係るプロジェクタの投写形態と効果を説明する図である。
【発明を実施するための形態】
【００２３】
以下、図面を参照して、本発明の実施の形態について説明する。
【００２４】
図１および図２は、プロジェクタの外観構成を示す図である。図１（ａ）は、前方から見たプロジェクタの斜視図であり、図１（ｂ）は後方から見たプロジェクタの斜視図である。また、図２は、プロジェクタの底面図である。なお、説明の便宜上、図１（ａ）、（ｂ）および図２には、ぞれぞれ、前後左右の方向を示す矢印が描かれている。以下、同様に、他の図面においても、必要に応じて、前後左右の方向を示す矢印が描かれる。
【００２５】
本実施の形態のプロジェクタは、いわゆる短焦点投写型のプロジェクタである。図１を参照して、プロジェクタは、略直方体形状を有する本体キャビネット１を備えている。本体キャビネット１は、下キャビネット２と、下キャビネット２に上方から被せられる上キャビネット３とで構成されている。
【００２６】
本体キャビネット１の上面には、後方に向けて下る第１傾斜面１ａと、この第１傾斜面１ａに続いて後方に向けて上る第２傾斜面１ｂが形成されている。第２傾斜面１ｂは上斜め前方を向いており、この第２傾斜面１ｂに投写口４が形成されている。投写口４から上斜め前方へ出射された映像光が、プロジェクタの前方に配されたスクリーンに拡大投写される。
【００２７】
また、本体キャビネット１の上面には、ランプ用カバー５が設けられている。本体キャビネット１の上面には、ランプユニットを交換するためのランプ用開口と、ランプユニットを冷却するファンユニットに配されたフィルタを交換するためのフィルタ開口が形成されている。ランプ用カバー５は、これらランプ用開口およびフィルタ用開口を覆うためのカバーである。さらに、本体キャビネット１の上面には、複数の操作キーからなる操作部６が設けられている。
【００２８】
本体キャビネット１の右側面には、端子口部７が形成されている。端子口部７には、ＡＶ端子等の各種の端子を有する端子パネル２４０が配されている。端子パネル２４０は、後述する制御回路ユニットの一部を構成する。プロジェクタには、ＡＶ端子を通じて、映像信号や音声信号などのＡＶ（Audio Visual）信号が入出力される。また、本体キャビネット１の右側面には、端子口部７の上方に、吸気口８が設けられている。吸気口８は多数のスリット状の孔によって構成されており、吸気口８を通じて外気が本体キャビネット１内に取り込まれる。
【００２９】
本体キャビネット１の左側面には、第１排気口９および第２排気口１０が設けられている。これら排気口９、１０は多数のスリット状の孔によって構成されており、これら排気口９、１０を通じて本体キャビネット１内部の空気が機外に排出される。また、本体キャビネット１の後面には、出音口１１が形成されている。出音口１１からは、投写時に映像に対応する音声が出力される。
【００３０】
図２を参照して、キャビネット１の底面には、前部中央部に固定脚１２が設けられており、後端部に２つの調整脚１３が設けられている。２つの調整脚１３を上下に伸縮させることにより、本体キャビネット１の前後方向および左右方向の傾きが調整できる。これにより、スクリーンに投写された画像の上下の位置や左右の傾きが調整できる。
【００３１】
本実施の形態のプロジェクタでは、本体キャビネット１の底面が机や床等の設置面に設置される据え置き設置以外に、本体キャビネット１が上下逆さまにされて天井に設置される天吊り設置が可能である。また、本体キャビネット１の前面には、端子パネル２４０や吸気口８が設けられておらず、前面は平坦な面とされている。このため、本実施の形態のプロジェクタでは、本体キャビネット１の前面が設置面に設置される設置形態をとることができる。この場合、設置面自身に画像が投写される。
【００３２】
図３は、プロジェクタの内部構造を示す図である。同図は、前方から見た、上キャビネット３が取り外された状態の斜視図である。なお、便宜上、図３には、光変調ユニット１５および投写光学ユニット１７が点線にて描かれている。また、吸気口８の位置が一点鎖線にて示されている。
【００３３】
図３を参照して、下キャビネット２の前部には、ランプユニット１４と、ランプユニット１３からの光を変調して映像光を生成する光変調ユニット１５とが配されている。
【００３４】
ランプユニット１４は、光源ランプと、光源ランプを保持するランプホルダにより構成されており、上方から着脱できるよう配されている。ランプユニット１４の後方には、ファンユニット１６が配されている。ファンユニット１６は、吸気口８から取り込んだ外気（冷却風）を光源ランプに供給して、光源ランプを冷却する。ランプホルダには、ファンユニット１６からの冷却風を光源ランプへ導くための通風ダクトが設けられている。
【００３５】
光変調ユニット１５は、カラーホイールとＤＭＤ（デジタル・マイクロミラー・デバイス）とを含む。カラーホイールは、光源ランプからの白色光を、赤、緑、青等の各色光に時分割で分離する。ＤＭＤは、カラーホイールから出射された各色光を、映像信号に基づいて変調する。
【００３６】
光変調ユニット１５の後方には、投写光学ユニット１７が配されている。投写光学ユニット１７は、光変調ユニット１５により生成された映像光を拡大し、スクリーン等の被投写面に投写する。
【００３７】
図４は、投写光学ユニット１７の構成を模式的に示す図である。なお、同図には、投写
光学ユニット１７に加えて、光変調ユニット１５、制御回路ユニット２３およびノイズフィルタユニット２４が模式的に描かれている。
【００３８】
投写光学ユニット１７は、投写レンズユニット１０１と、反射ミラー１０２と、これら投写レンズユニット１０１および反射ミラー１０２を収容するハウジング１０３により構成されている。投写レンズユニット１０１は、複数のレンズ１０１ａを有している。反射ミラー１０２は、曲面ミラーあるいは自由曲面ミラーである。
【００３９】
図４に示すように、光変調ユニット１５から出射された映像光は、投写レンズユニット１０１の光軸Ｌから本体キャビネット１の上面方向にシフトした位置において、投写レンズユニット１０１に入射する。入射した映像光は、投写レンズユニット１０１によってレンズ作用を受け、反射ミラー１０２に入射する。その後、映像光は、反射ミラー１０２によって広角化され、光線通過窓１０４を介して、被投写面（スクリーン面）へ投写される。
【００４０】
上記のように、映像光は、投写レンズユニット１０１の光軸Ｌから本体キャビネット１の上面方向にシフトした位置において、投写レンズユニット１０１に入射するため、反射ミラー１０２は、投写レンズユニット１０１の光軸Ｌから本体キャビネット１の底面側にシフトするようにして配置される。ここで、反射ミラー１０２は、投写レンズユニット１０１を構成する各レンズのレンズ面よりも大きな反射面を有するため、投写レンズユニット１０１の光軸Ｌに対する反射ミラー１０２のシフト量は比較的大きなものとなる。このため、投写レンズユニット１０１の下方には、本体キャビネット１（下キャビネット２）の底面との間に、比較的大きな空間Ｇが生じる。この空間Ｇは、投写レンズユニット１０１の配置位置から光変調ユニット１５の配置位置にかけて生じる。
【００４１】
図３に戻り、ファンユニット１６の後方には、電源ユニット１８が配されている。電源ユニット１８は、電源回路を備えており、プロジェクタの各電装部品に電源の供給を行う。電源ユニット１８の後方には、スピーカー１９が配されている。スピーカー１９から出力された音声は、出音口１１より外部に放出される。
【００４２】
光変調ユニット１５の右方には、ＤＭＤ用冷却ファン２０が配されている。ＤＭＤ用冷却ファン２０は、ＤＭＤを冷却するために、吸気口８から取り込んだ外気を光変調ユニット１５に供給する。
【００４３】
ランプユニット１４の左方には、ランプ用排気ファン２１が設けられている。ランプ用排気ファン２１は、光源ランプを冷却した後の冷却風を取り込み、第１排気口９を通じて外部に排出する。
【００４４】
電源ユニット１８の左方には、電源用排気ファン２２が設けられている。電源用排気ファン２２は、電源ユニット１８内の温まった空気を取り込み、第２排気口１０を通じて外部に排出する。電源ユニット１８内から電源用排気ファン２２へ空気が流れることにより、新たな外気が吸気口８から取り込まれて電源ユニット１８内へ供給される。
【００４５】
さて、図３および図４に示すように、本実施の形態のプロジェクタでは、投写レンズユニット１０１と光変調ユニット１５の下方に生じた上記空間Ｇに、制御回路ユニット２３およびノイズフィルタユニット２４が配されている。
【００４６】
ノイズフィルタユニット２４は、ノイズフィルタやヒューズが配された回路基板を備えており、入力された商用交流電源からノイズを除去して電源ユニット１８に供給する。
【００４７】
図５および図６は、制御回路ユニット２３の構成を示す図である。図５（ａ）は、メイン制御基板２１０および拡張インターフェイス基板２２０が、ホルダ２５０に組み込まれる前の状態を示す斜視図である。図５（ｂ）は、メイン制御基板２１０および拡張インターフェイス基板２２０が、ホルダ２５０に組み込まれた状態を示す斜視図である。図６は、下方から見たホルダ２５０の平面図である。
【００４８】
図５および図６を参照して、制御回路ユニット２３は、メイン制御基板２１０と、拡張インターフェイス基板２２０と、固定板２３０と、端子パネル２４０と、ホルダ２５０とにより構成されている。
【００４９】
メイン制御基板２１０には、光源ランプやＤＭＤなどの各種駆動部品を制御するための制御回路が配されている。また、メイン制御基板２１０の右端部には、各種の端子２１１が配されており、中央付近には、ＤＭＤ用配線基板１５ａとの接続を行うためのコネクタ２１２が配されている。
【００５０】
メイン制御基板２１０には、４つのコーナー部と、前側の２つのコーナー部の間と、後側の２つのコーナー部の間の合計６か所に取付孔２１３が形成されている。また、左後のコーナー部を除く３つのコーナー部の取付孔２１３の隣には、位置決め孔２１４が形成されている。なお、図５（ａ）では、右前のコーナー部の取付孔２１３および位置決め孔２１４が端子パネル２４０により隠れた状態となっている。
【００５１】
拡張インターフェイス基板２２０には、メイン制御基板２１０に配されていない残りの端子２２１が配されている。
【００５２】
固定板２３０は、金属材料で形成されており、固定部２３１とシールド部２３２とが上下に一体形成されている。固定部２３１には、一方の面に、インターフェイス基板２２０とメイン制御基板２１０が上下に並ぶように固定されているとともに、他方の面に、端子パネル２４０が固定されている。シールド部２３２には、多数の開口２３２ａが形成されており、各開口２３２ａには、金網（図示せず）が装着されている。図３に示すように、制御回路ユニット２３が本体キャビネット１に取り付けられると、シールド部２３２が吸気口８の内側に配される。吸気口８から取り込まれた外気は、開口２３２ａを通って本体キャビネット１内部に流入する。シールド部２３２は、吸気口８から外部に漏れようとする電磁波を遮蔽する。
【００５３】
端子パネル２４０には、各端子２１１、２２１の形状に合わせた開口が形成されており、これら開口を通じて、各端子２１１、２２１が外部に臨む。なお、図示されていないが、固定板２３０の固定部２３１にも、各端子２１１、２２１が通る開口が形成されている。
【００５４】
ホルダ２５０は、金属材料（たとえば、アルミニウム）で形成されており、上面板２５１と、上面板２５１の前後両側に形成された前面板２５２および後面板２５３を有する。
【００５５】
上面板２５１には、ＤＭＤ用配線基板１５ａを通すための開口２５４と、投写光学ユニット１７の入射端側の底部を収容するための開口２５５が形成されている。図６に示すように、前面板２５２および後面板２５３には、メイン制御基板２１０の６つの取付孔２１３に対応する６つの取付片２５６が形成されている。各取付片２５６には、取付孔２５６ａが形成されている。また、前面板２５２の両側２つの取付片２５６と後面板２５３の右端の取付片２５６には、それぞれ、メイン制御基板２１０の位置決め孔２１４に対応する位置決め突起２５６ｂが形成されている。
【００５６】
さらに、前面板２５２および後面板２５３の左端部には、それぞれ、ホルダ２５０を本体キャビネット１への取り付けるための取付片２５７が形成されている。これら取付片２５７にも、取付孔２５７ａが形成されている。
【００５７】
図５（ａ）に示すように、メイン制御基板２１０および拡張インターフェイス基板２２０は、上面板２５１、前面板２５２および後面板２５３に囲まれた収容領域に下方から収容される。収容領域内の所定位置まで収容されると、メイン制御基板２１０が６つの取付片２５６に下側から当接し、メイン制御基板２１０の３つの位置決め孔２１４が、それぞれ、対応する取付片２５６の位置決め突起２５６ｂに挿入される。これにより、メイン制御基板２１０の６つの取付孔２１３が、それぞれ、対応する取付片２５６の取付孔２５６ａに整合する。メイン制御基板２１０の６つの取付孔２１３のうち、中央部分にある２つの取付孔２１３と、それらに対応する取付片２５６との間でネジ止めがなされる。これにより、図５（ｂ）に示すように、メイン制御基板２１０および拡張インターフェイス基板２２０がホルダ２５０に固定され、制御回路ユニット２３が組み立てられた状態となる。なお、この時点では、メイン制御基板２１０の４つのコーナー部にある取付孔２１３と、それに対応する取付片２５６との間でのネジ止めは行われない。
【００５８】
ホルダ２５０の上面に光変調ユニット１５（図５（ｂ）には図示せず）が装着されると、図５（ｂ）に示すように、ＤＭＤに接続されたＤＭＤ用配線基板１５ａが、開口２５４を通じてホルダ２５０の収容領域内に挿入される。そして、ＤＭＤ用配線基板１５ａに設けられたコネクタ（図示せず）が、メイン制御基板２１０のコネクタ２１２に接続される。ＤＭＤ用配線基板１５ａには、ＤＭＤへの信号線が配されており、メイン制御基板２１０に配されたＤＭＤ用のドライバーからの駆動信号が信号線を通じてＤＭＤへ送られる。
【００５９】
なお、運転中、メイン制御基板２１０から電磁波が放出され得るが、ホルダ２５０が金属材料で形成されているため、ホルダ２５０によって電磁波を遮蔽することができる。
【００６０】
図７は、光学ユニットＵの構成を示す図である。また、図８は、光学ユニットＵが取り付けられる前の本体キャビネット１の状態を示す図である。
【００６１】
図７に示すように、制御回路ユニット２３のホルダ２５０には、ネジ止め等の適宜の固定方法によって、ランプユニット１４、光変調ユニット１５、投写光学ユニット１７、ファンユニット１６およびＤＭＤ用冷却ファン２０が固定される。こうして、制御回路ユニット２３、ランプユニット１４、光変調ユニット１５、投写光学ユニット１７、ファンユニット１６およびＤＭＤ用冷却ファン２０が一体化され、一つの光学ユニットＵが構成される。
【００６２】
図８に示すように、光学ユニットＵを固定するため、下キャビネット２には、メイン制御基板２１０を組み込む際にネジ止めがなされてないホルダ２５０の４つの取付片２５６に対応する４つの取付部２５と、ホルダ２５０の左端部の２つの取付片２５７に対応する２つの取付部２６と、投写光学ユニット１７のハウジング１０３に設けられた図示しない取付片に対応する１つの取付部２７が設けられている。
【００６３】
光学ユニットＵは、上記７つの取付片２５６、２５７が、それぞれに対応する７つの取付部２５、２６、２７にネジ止めされることにより、図３のように、下キャビネット２の底面に固定される。なお、上述のように、４つの取付片２５６の取付孔２５６ａには、メイン制御基板２１０の取付孔２１３が整合している。このため、取付部２５には、取付片２５６とともにメイン制御基板２１０がネジ止めされる。これにより、メイン制御基板２１０は、合計６か所でネジ止め固定され、ホルダ２５０に強固に固定される。
【００６４】
さて、メイン制御基板２１０が破損した場合には、メイン制御基板２１０をホルダ２５０から取り外して、修理したり、新たなメイン制御基板２１０に交換したりする必要がある。この場合、作業者（サービスマン）は、光学ユニットＵを固定している７か所のネジを取り外して、光学ユニットＵを本体キャビネット１から取り外す。しかる後、２か所のネジを外して、ホルダ２５０からメイン制御基板２１０を取り外す。
【００６５】
このように、本実施の形態では、まず、制御回路ユニット２３の上方にある光変調ユニット１５や投写光学ユニット１７を本体キャビネット１から取り外し、しかる後に、制御回路ユニット２３を本体キャビネット１から取り外すという、手間数の多い作業を行う必要がない。よって、メイン制御基板２１０の交換を容易に行うことができる。
【００６６】
以上、本実施の形態では、投写レンズユニット１０１と反射ミラー１０２の位置のずれに起因して投写レンズユニット１０１の下方に生じる空間Ｇを利用し、この空間Ｇにメイン制御基板２１０や拡張インターフェイス基板２２０が配置されている。このため、これら基板の配置によって投写方向におけるプロジェクタ１の寸法が大きくなったりすることがない。よって、プロジェクタ１の投写機能を損なうことなく、プロジェクタ１の外形をコンパクトにすることができる。
【００６７】
図９は、本実施の形態による一つの投写形態を示す図である。本実施の形態では、上記のようにメイン制御基板２１０や拡張インターフェイス基板２２０が空間Ｇに配置されるため、投写方向における本体キャビネット１の寸法Ｄ１が大きくなるのを抑制することができる。なお、この場合、投写方向は、同図の前後方向になる。
【００６８】
本実施の形態では、このように寸法Ｄ１が大きくなるのを抑制できるため、投写距離（スクリーンと投写口４との間の投写方向における距離）Ｄ２の最短値を小さくすることができる。投写距離Ｄ２は、同図のように本体キャビネット１の前側面１ｃを壁に押し付けたときに最短となる。
【００６９】
図９の投写形態では、プロジェクタを前後に移動させて投写距離Ｄ２を変えることで、スクリーン上に投写される画像のサイズを変えることができる。本実施の形態では、投写距離Ｄ２の最短値を小さくできるので、投写画像のサイズを小さくでき、プロジェクタを前後させることによる投写画像のサイズの調整範囲を大きくとることができる。
【００７０】
また、本実施の形態では、メイン制御基板２１０や拡張インターフェイス基板２２０の２つの回路基板が、ホルダ２５０の収容空間、即ち、上記空間Ｇに上下に並ぶように配置されている。これにより、制御回路ユニット２３の投写方向の寸法を小さくできるので、投写方向における本体キャビネット１の寸法Ｄ１が大きくなるのをより一層抑制することができる。
【００７１】
さらに、本実施の形態では、本体キャビネット１の右側面において、メイン制御基板２１０や拡張インターフェイスユニット２２０が配置された空間Ｇに対応する位置に端子パネル２４０が設けられているので、この端子パネル２４０の上方、即ち、光変調ユニット１５や投写レンズユニット１０１対応する位置に、端子パネル２４０に邪魔されることなく、吸気口８を形成することができる。これにより、吸気口８の面積を広くすることができるので、本体キャビネット１内への吸気量を多くすることができ、光変調ユニット１５のＤＭＤ等、本体キャビネット１内部の発熱部位を良好に冷却することができる。
【００７２】
以上、本発明の実施の形態について説明したが、本発明は、上記実施の形態に限定されるものではない。また、本発明の実施の形態も、特許請求の範囲に示された技術的思想の範囲内において、適宜、種々の変更が可能である。
【００７３】
たとえば、上記実施の形態では、光変調ユニット１５を構成する光変調素子としてＤＭＤが用いられているが、これに限らず、液晶パネルが用いられても良い。
【００７４】
また、上記実施の形態では、光源ランプを有するランプユニット１４が用いられているが、ランプ光源以外の光源、たとえば、レーザ光源やＬＥＤ光源が用いられても良い。
【００７５】
さらに、上記実施の形態では、ホルダ２５０には、メイン制御基板２１０とともに、拡張インターフェイス基板２２０が保持されている。しかしながら、これに限らず、拡張インターフェイス基板２２０に加えて、あるいはこれに替えて、他の回路基板、たとえば、通信回路基板が、メイン制御基板２１０とともにホルダ２５０に保持されるようにしても良い。なお、通信回路基板には、パソコン等の他の機器とプロジェクタ間で通信を行うための通信回路が配される。
【符号の説明】
【００７６】
１  本体キャビネット
８  吸気口
１４  ランプユニット（光源）
１５  光変調ユニット（光変調部）
１７  投写光学ユニット（投写部）
１０１  投写レンズユニット（投写レンズ部）
１０２  反射ミラー（ミラー部）
２１０  メイン制御基板（制御回路部、回路基板）
２１１  端子
２２０  拡張インターフェイス基板（制御回路部、回路基板）
２２１  端子
２４０  端子パネル（端子部）
２５０  ホルダ（保持部材）
【図１】
2011237723.tif 000003
【図２】
2011237723.tif 000004
【図３】
2011237723.tif 000005
【図４】
2011237723.tif 000006
【図５】
2011237723.tif 000007
【図６】
2011237723.tif 000008
【図７】
2011237723.tif 000009
【図８】
2011237723.tif 000010
【図９】
2011237723.tif 000011